(57)【要約】【課題】本発明の目的は、浴室用カウンターの取付け構造の提供を目的とする。【解決手段】本発明の浴室用カウンターの取付け構造は、浴室の壁面に対して固定された２以上の取付け部材と、前記取付け部材の上面に着脱自在に取付けられる天板部材と、を備えたカウンターの取付け構造において、平面視矩形型で四方端を垂下片で囲まれた天板と、天板の前縁側垂下片下端より内方に突出した外側掛部と、天板の裏面より下方に突出したＬ字形状の内側掛部と、を天板部材に備え、天板を受ける受け片と、受け片の上面に前後に並列に突出した第１の突出部と第２の突出部と、第１の突出部より先端側に設けた第１の係合部と、第２の突出部の上端より水平方向に突出させた第２の係合部と、を取付け部材に備え、取付け部材の上面に天板部材を載置し、天板部材を水平移動させることで、外側掛部に第１の係合部を、内側掛部に第２の係合部を、個々に着脱自在に係合した。【選択図】図１
2019208754.tif 000002
【特許請求の範囲】
【請求項１】
浴室の壁面に対して固定された２以上の取付け部材と、
前記取付け部材の上面に着脱自在に取付けられる天板部材と、を備えたカウンターの取付け構造において、
平面視矩形型で四方端を垂下片で囲まれた天板と、前記天板の前縁側垂下片下端より内方に突出した前側掛部と、前記天板の裏面より下方に突出したＬ字形状の内側掛部と、を前記天板部材に備え、
前記天板を受ける受け片と、前記受け片の上面に前後に並列に突出した第１の突出部および第２の突出部と、前記第１の突出部より先端側に設けた第１の係合部と、前記第２の突出部の上端より水平方向に突出させた第２の係合部と、を前記取付け部材に備え、
前記取付け部材の上面に前記天板部材を載置し、前記天板部材を水平移動させることで、前記前側掛部に前記第１の係合部を、前記内側掛部に前記第２の係合部を、個々に着脱自在に係合したことを特徴とする浴室用カウンターの取付け構造。
【請求項２】
請求項１に記載の浴室用カウンターの取付け構造において、前記２以上の取付け部材を連接する連接部材と、前記連接部材と当接するように前記天板の裏面下方に突出して設けられた支え部とを設けたことを特徴とする浴室用カウンターの取付け構造。
【請求項３】
請求項１または請求項２に記載の浴室用カウンターの取付け構造において、前記天板の壁面当接辺の略中央部に内方に窪んだ凹部を設けたことを特徴とする浴室用カウンターの取付け構造。
【請求項４】
請求項１乃至請求項３のいずれか一項に記載の前記天板部材は樹脂一体成形品であることを特徴とする浴室用カウンターの取付け構造。
【請求項５】
請求項１乃至請求項４のいずれか一項に記載の浴室用カウンターの取付け構造において、前記天板の前記垂下片下端のそれぞれの角部に少なくとも１以上の突出した脚部材を設けたことを特徴とする浴室用カウンターの取付け構造。
【請求項６】
請求項１乃至請求項５のいずれか一項に記載の浴室用カウンターの取付け構造において、前記第１の突出部と前記第２の突出部の先端にキャップを設けたことを特徴とする浴室用カウンターの取付け構造。
【請求項７】
請求項１乃至請求項６のいずれか一項に記載の浴室用カウンターの取付け構造において、前記天板が、浴室内に設けられた浴槽のフランジ部に架け渡して配置可能な長さに形成されたことを特徴とする浴室用カウンターの取付け構造。
【発明の詳細な説明】
【技術分野】
【０００１】
本発明は、浴室壁面に取付けられた取付け部材に対して、天板部材が着脱自在に取付けられた浴室用カウンターの取付け構造に関する。
【背景技術】
【０００２】
従来、浴室用カウンターは浴室の壁面に固定された取付け部材を介して、天板部材が固定されている物が広く用いられている。
しかし、カウンターが固定されているため、天板部材の裏面や取付け部材及び壁面との間、カウンター下方の床などの清掃がしにくい為、汚れが残り易くまたカビの発生を招くなど、浴室内の外観や環境を悪化させる虞があるため、カウンター周りの清掃性を改善し浴室内を衛生的に使用したい要望があった。
【０００３】
そこで、以下の特許文献１では、浴室の壁バネルに設けたカウンターの水栓取付け金具に引掛け金具を螺着させ、そこに湯桶台の係合部を係合させてカウンターを着脱可能にする構造が開示されている。
また、以下の特許文献２では、浴室の壁面に設けたベース部材の全長に渡って設けた嵌合凹部に、カウンター部材の嵌合凸部を挿入することで、ベース部材からカウンター部材を着脱自在とする構造が開示されている。
さらに、図１２に記載の従来構造では、天板部材１０の前端縁に下向きのフック部１０ａを設け、天板部材１０の後外端縁に下向き板状の係止片１０ｂを設け、この天板部材１０を側面視Ｌ型の取付け部材１１で水平支持した構造が考えられる。
図１２に示す従来構造では、天板部材１０の前面内側に取付け部材１１のフック部１０ａを引掛け、その後天板部材１１の後外縁端の係止片１０ｂを取付け部材１１の溝１１ａに上方より嵌合させて、天板部材１１を着脱可能にする構造が考えられる。
【先行技術文献】
【特許文献】
【０００４】
【特許文献１】特開２００１−３４６７０８号公報
【特許文献２】特開２０１１−１８３１１８号公報
【発明の概要】
【発明が解決しようとする課題】
【０００５】
特許文献１に記載の構造では、カウンターと湯桶台が接触した状態で脱着することで、双方の接触面に傷等が発生すると共に、係合部分には着脱する為の隙間を設ける必要があり、その隙間により湯桶台にガタツキ等が発生するなどの問題点があった。
【０００６】
特許文献２に記載の構造では、ベース部材の全長に渡って設けられた嵌合凹部に湯水や汚れが溜まり易く、汚れた部分の清掃がしにくいなどの他に、汚れやゴミの堆積によりスムーズな嵌合が阻害される虞があるなどの問題点があった。
【０００７】
さらに、特許文献１の構造、特許文献２の構造共、天板部材に載置される湯水を溜めた洗面器等の加重等により、天板部材と取付け面の当接部下端を支点とし、天板部材と取付け面の当接部上端が作用点となり、取付け面当接部上端に隙間が発生しやすい構造であるなどの問題点があった。
【０００８】
図１２に記載の従来構造では、天板部材１０の壁側を持ち上げて着脱作業を行う為、天板部材１０の上面に残留した湯水が利用者にかかったり、上方に配置されている水栓装置やシャワーホースと干渉することで天板部材１０の着脱性を低下させてしまうなどの問題点があった。
さらに、天板部材１０と壁面との間に取付け部材の嵌合部が露出してしまい、外観を損ねてしまうなどの問題点があった。
【０００９】
本発明は、上記課題に鑑みなされたものであり、着脱が容易であって、清掃性に優れ、嵌合部が目立たない浴室用カウンターの取付け構造の提供を目的とする。
【課題を解決するための手段】
【００１０】
本発明は、上記課題を解決する手段として、以下の構成を有する。
（１）本発明の浴室用カウンターの取付け構造は、浴室の壁面に対して固定された２以上の取付け部材と、前記取付け部材の上面に着脱自在に取付けられる天板部材と、を備えたカウンターの取付け構造において、平面視矩形型で四方端を垂下片で囲まれた天板と、前記天板の前縁側垂下片下端より内方に突出した前側掛部と、前記天板の裏面より下方に突出したＬ字形状の内側掛部と、を前記天板部材に備え、前記天板を受ける受け片と、前記受け片の上面に前後に並列に突出した第１の突出部および第２の突出部と、前記第１の突出部より先端側に設けた第１の係合部と、前記第２の突出部の上端より水平方向に突出させた第２の係合部と、を前記取付け部材に備え、前記取付け部材の上面に前記天板部材を載置し、前記天板部材を水平移動させることで、前記前側掛部に前記第１の係合部を、前記内側掛部に前記第２の係合部を、個々に着脱自在に係合したことを特徴とする。
【００１１】
（２）本発明の浴室用カウンターの取付け構造は、（１）に記載の浴室用カウンターの取付け構造において、前記２以上の取付け部材を連接する連接部材と、前記連接部材と当接するように前記天板の裏面下方に突出して設けられた支え部とを設けたことが好ましい。
（３）本発明に係る浴室用カウンターの取付け構造において、（１）または（２）に記載の浴室用カウンターの取付け構造において、前記天板の壁面当接辺の略中央部に内方に窪んだ凹部を設けた構成を採用できる。
（４）本発明に係る浴室用カウンターの取付け構造において、（１）乃至（３）のいずれか一項に記載の前記天板部材は樹脂一体成形品である構成を採用できる。
【００１２】
（５）本発明に係る浴室用カウンターの取付け構造において、（１）乃至（４）のいずれか一項に記載の浴室用カウンターの取付け構造において、前記天板の前記垂下片下端のそれぞれの角部に少なくとも１以上の突出した脚部材を設けた構成を採用できる。
（６）本発明に係る浴室用カウンターの取付け構造において、（１）乃至（５）のいずれか一項に記載の浴室用カウンターの取付け構造において、前記第１の突出部と前記第２の突出部の先端にキャップを設けた構成を採用できる。
（７）本発明に係る浴室用カウンターの取付け構造において、（１）乃至（６）のいずれか一項に記載の浴室用カウンターの取付け構造において、前記天板が、浴室内に設けられた浴槽のフランジ部に架け渡して配置可能な長さに形成された構成を採用できる。
【発明の効果】
【００１３】
本発明によれば、カウンターの天板部材を取付け部材から水平前後方向に移動させることで、天板部材の着脱作業を容易に行うことができる。また天板部材は着脱しなくても手前に引き出した状態でシャワーをかけると壁面やカウンター下方の床面を洗い流し綺麗な状態を保つことができ、清掃性に優れている。
さらに、天板部材の水平移動のみで天板部材の着脱ができるので、天板部材着脱の際に天板部材上方に配置される水栓やシャワーホースとの干渉を回避でき、天板部材上の湯水が利用者にかかることを防止することができる。
また、取付け部材より離脱した天板部材を、浴槽のフランジ部に掛け渡して、トレーとして使用することができる。
【００１４】
本発明において、取付け部材の連接部材に天板裏面下方に突出した支え部を当接させた構造とすることで、天板中央部の耐荷重性能が向上するので、天板部材の薄型化、軽量化を図ることができる。
【００１５】
本発明において、天板の壁面当接辺の中央部に凹部を設けることで、天板上の湯水等を壁側に排水させて利用者へかかることを防止することができる。また、天板中央部から流れた湯水は壁面を伝い洗場面へ流れることでカウンター下の汚れの蓄積を防止する。
さらに、カウンターと壁面当接の中央部が離間されていることで、カウンターの左右両端と壁面との隙間に多少のばらつきが生じても外観を損なうことを軽減することができる。また、凹部に手を挿入することで天板の離脱作業を容易に行うことができる。
【００１６】
本発明において、天板部材を樹脂一体成形品とすることで、天板部材に接合部が生じることがなく、外観と清掃性の向上を図ることができる。
【００１７】
本発明において、天板の垂下片下端のそれぞれの角部に少なくとも１以上の突出した脚部材を設けることで、天板を洗い場床面や浴槽上面等に置いた場合の傷付防止を図ることができる。また、天板部材を浴槽のフランジ部に架け渡して使用する場合、滑り防止とフランジ部への傷付防止を図ることができる。
【００１８】
本発明において、第１の突出部と第２の突出部の上面にキャップを設けたことで、天板部材を取付けた状態でのガタツキ防止と抜け防止を図ることができる。また、裏面を洗う時に天板を反転させて取付け部材の上面に置いた場合の傷付防止を図ることができる。
【００１９】
本発明では、天板部材を壁面や浴槽エプロンと離隔することができ、清掃性の向上を図ることができる。また、カウンターと浴槽エプロンとの連接をともなわない為、カウンターよりの浴槽エプロンを分割する必要がなく、浴槽エプロンを１枚物にて構成することができる。
【図面の簡単な説明】
【００２０】
【図１】本発明の実施形態にかかるカウンターの取付構造を備えた浴室及び浴槽を表す斜視図である。
【図２】本発明の実施形態にかかるカウンターの使用状態の模式図である。
【図３】本発明の実施形態にかかるカウンターを示す分解斜視図である。
【図４】本発明の実施形態にかかるカウンターの断面図である。
【図５】本発明の実施形態にかかるカウンターを取外した状態の断面図である。
【図６】本発明の実施形態にかかるカウンターの天板平面図である。
【図７】本発明の実施形態にかかるカウンターの側端面を表す断面図である。
【図８】本発明の実施形態にかかるカウンターの天板裏面図である。
【図９】本発明の実施形態にかかるカウンターを浴槽上面で使用している状態の模式図である。
【図１０】従来構造のカウンター中央部からの水の流れを示す模式図である。
【図１１】本発明の実施形態にかかるカウンター中央部からの水の流れを示す模式図である。
【図１２】従来のカウンター取付け構造の参考事例を示す断面図である。
【発明を実施するための形態】
【００２１】
以下、本発明の一実施形態にかかるカウンターの取付け構造について図面を参照して説明する。
図１は浴槽２と洗い場４を備えた浴室１の一部を示す斜視図であり、浴槽２に隣接する壁面５の所定の高さにシャワー用の水栓３が取り付けられ、水栓３にシャワーホース３１０が接続され、水栓３の下方に取り付け部材６に支持されたカウンター９が設けられている。図１に示す例において、水栓３は浴槽２のフランジ上面高さより若干高い位置に取り付けられ、カウンター９は浴槽２のフランジ上面高さより若干低い位置に設置されている。
カウンター９は図２に示すように天板上面に洗面器１２、シャンプー容器１３やリンス容器１４などの小物を設置するための平坦な上面を有する。
【００２２】
カウンター９においては、図３に示すように左右の取付け部材６により天板部材７が支持されている。
天板部材７は平面視横に長い長方形状の天板７１０からなり、天板７１０の全周縁には垂下片７１１が形成されている。図４に示すように垂下片７１１の高さ（上下方向長さ）は天板７１０の厚さの数倍程度に形成されている。天板７１０のコーナー部分は所定の曲率のアール部が形性されたエッジ形状とされている。
天板７１０は、図１に示すように浴室１の壁面５に沿って略水平に横長に設置されているため、以下、設置した状態の天板７１０において浴室１の内部側を前側、天板７１０において壁面５側を後側と適宜表記して説明する。
【００２３】
天板７１０の４周の垂下片７１１のうち、天板７１０の前側部分（天板７１０の一方の長辺部分）に位置する垂下辺７１１の下端部に天板７１０の裏面内側向きに延在された折曲片からなる前側掛部７１２が形成されている。前側掛部７１２はこの実施形態では図８に示すように天板７１０の前側部分の垂下片７１１のうち、左右のコーナー部分に近い位置において所定幅に渡るように２つ形成されている。
【００２４】
天板７１０の後側部分（天板７１０の他方の長辺部分）に位置する垂下片７１１と天板７１０の裏面中央部分との間の位置に、下方にＬ字形状となる内側掛部７１３が形成されている。図４に示す形態では、内側掛部７１３の上下高さは垂下片７１１の上下高さの半分程度に形成され、内側掛部７１３は天板７１０の後縁側に向くように折曲されるとともに、内側掛部７１３の横幅は後に詳述する取付け部材６の横幅（厚さ）と同程度の幅になるように（図８参照）形成されている。
なお、図８は天板７１０の裏面図であるので前側掛部７１２と内側掛部７１３はいずれも上方に突出するように描かれている。図８に示すようにこの実施形態では内側掛部７１３の横幅より前側掛部７１２の方が若干幅広に形成されている。
【００２５】
天板７１０の平面視形状を図６に示すが、天板７１０の前縁部分は直線状であるのに対し、天板７１０の後縁部分にはその長さの２／３程度を占める緩い円弧状の斜面からなる凹部７３０が形成されている。また、凹部７３０の平面視両端側から天板７１０の左右のコーナー部分に至る部分はいずれも平面視直線状に形成されている。
凹部７３０は天板７１０の内側に窪むように後縁側に形成され、図６に示す形態では凹部７３０の最も深い部分が天板７１０の奥行き（天板７１０の短辺側の長さ）の１／１０程度を占めるように形成されている。換言すると、この凹部７３０の深さは、図１に示すように壁面５に天板７１０の後縁側直線状部分を当接させた状態において凹部７３０の部分を使用者の指が余裕をもって通過できる程度の深さに形成されている。
【００２６】
天板部材７は天板７１０に垂下片７１１、前側掛部７１２、内側掛部７１３を備え、更に後述する支え部７１４などを備えているが、天板部材７はこれらの部分を含めて全体を硬質樹脂により一定成形した樹脂一体成形品とされている。天板部材７を樹脂一体成形品とすることで、天板部材７の上面側に接合部を設けなくとも、天板部材７の裏面側に接合部を設ける構造とすることができ、天板部材外観の美観を向上し、天板部材７とその周囲の清掃性の向上を図ることができる。
【００２７】
取付け部材６は、側面視略５角形状で壁面５から洗い場４側に突出するように壁面５にほぼ直角に取り付けられている。取付け部材６は、図１に示すように水栓３の下方にカウンター９を水平に支持できるようにカウンター９の左右両側下方に配置されている。
取付け部材６は、その上面側に天板７１０を支持するための受け片６１０を有し、壁面５に接する取付面６０１と、取付面６０１の底部から水平に延出する底面６０２と、この底面６０２の先端側から斜め上方に延出する斜面６０３と、この斜面６０３の先端部から上方に延出して受け片６１０の上面に達する前面６０５を有する側面視略５角形状に形成されている。
【００２８】
前面６０５の上端部分において受け片６１０に達する部分には前方に水平に延出された突出片からなる第１の係合部６２１が形成されている。
受け片６１０の上面側において取付面６０１に隣接する位置に平面視長方形状の段部６０６が形成され、受け片６１０の上面側において段部６０６より前方側の部分に前後に離間して円錐台状の第１の突出部６１１と第２の突出部６１２が形成されている。第１の突出部６１１は前面６０５に近い位置に形成され、第２の突出部６１２は段部６０６に近い位置に形成されている。
第２の突出部６１２の上端前方側には水平向きの突出片からなる第２の係合部６２２が形成されている。
第１の突出部６１１と第２の突出部６１２の上面側にはこれらの上面を所定の厚さで覆うように軟質樹脂製のキャップ６３０が装着されている。
【００２９】
壁面５に固定された左右の取付け部材６の間には、これら取付け部材６、６を橋渡しするように丸棒状の連接部材８が取り付けられている。左右の取付け部材６の内側面であって前面６０５に近い部分に連接部材８の端部を嵌合するための穴部（図示略）が形成され、これらの穴部に連接部材８の両端部を挿入することで左右の取付け部材６、６間に掛け渡すように水平に丸棒状の連接部材８が支持されている。
【００３０】
取付け部材６に設けた段部６０６は天板７１０の後側の垂下片７１１を挿入可能な深さの段部６０６であり、図４に示すように段部６０６に天板７１０の後側の垂下片７１１を挿入した状態で第１の係合部６２１に天板７１０の前側掛部７１２を係合できるようになっている。また、この係合状態において第１の突出部６１１のキャップ６３０と第２の突出部６１２のキャップ６３０が天板７１０の裏面に隙間無く当接し、図４に示すように天板７１０の上面が若干壁面側に向かって下り勾配を有するように支持されている。
更に、天板７１０の裏面中央部より天板前側に近い位置に円柱状の支え部７１４が突出され、上述の係合状態において、図４に示すように支え部７１４が連接部材８の上に載置されるようになっている。
また、上述の係合状態において内側掛部７１３は、取付け部材６の第２の係合部６２２に係合するようになっている。
【００３１】
天板７１０を取り付ける場合は、図５に示す通り、段部６０６において第２の突出部６１２に近い側の位置に天板７１０の後側の垂下片７１１を挿入し、第１の突出部６１１と第２の突出部６１２の上に天板７１０の裏面を載置する。第１の突出部６１１と第２の突出部６１２の上にはキャップ６３０が装着されているため、天板７１０はキャップ６３０に密着してがたつき無く支持される。この状態において天板７１０の前側の垂下片７１１と前側掛部７１２は、取付け部材６の第１の係合部６２１よりも若干前方に位置されている。
【００３２】
図５に示す状態から天板７１０を後方側に水平にスライドさせると、図４に示すように天板７１０の後側の垂下片７１１が段部６０６の奥側に向いて水平にスライドし、前側掛部７１２が第１の係合部６２１の突出片の下に入り込むように係合するとともに、内側掛部７１３が第２の係合部６２２に係合して天板７１０が位置決めされる。
【００３３】
なお、上述の第１、第２の係合部６２１、６２２による係合は、天板７１０を取付け部材６の後方側に向けて水平にスライド移動することで解除することができる。
即ち、図４、図５で示す通り、天板７１０は水平方向に前後移動させることで係合離脱することができ、天板７１０の着脱作業を容易に行い得る構造となる。
また、天板７１０を水平前後方向移動で着脱できることにより、図１で示すようなカウンター上方にある水栓３やシャワーホース３１０との干渉を回避することができ、また、天板上面の残留水が利用者にかかることを防止することができる。
天板７１０を移動させる際、天板７１０の前端側を手で把持して移動させても良く、天板７１０の後側の凹部７３０に指を入れて天板７１０を移動させても良い。
【００３４】
カウンター９の天板７１０を手前側に水平移動させた状態では、天板７１０を壁面５と離間することができ、シャワー散水で壁面５を洗い流すことができ、清掃を容易に行うことができる。また、壁面５を伝わった水は洗い場面へ流れることでカウンター下の汚れの蓄積を防止することができる。
【００３５】
カウンター９の天板上面は図４で示す通り、壁面５に向かって若干の下り勾配をもつ傾斜面とされている。天板上面は図１、図６等に示す通り、壁面当接側に凹部７３０を設けることで天板上の湯水などを壁面５に向かって自然に流動させることでき、利用者に湯水がかかることを防止できる。
また、天板上面に下り勾配をもつことで、洗面器１２やシャンプー容器１３、リンス容器１４などの物品の手前側への落下防止を図ることができる。
【００３６】
図２で示すようにカウンター９の使用状態では中央に洗面器１２、左右にシャンプー容器１３やリンス容器１４を載置する。洗面器１２を載置するカウンター中央部は図４で示す通り、カウンター裏面下方に突出した支え部７１４と取付け部材６と連結された連接部材８に当接されることで、天板中央にかかる荷重を連接部材８で受けることができる。
荷重を連接部材８で受けることができることから、天板７１０の薄型化、軽量化を図ったとしてもカウンター用として十分な剛性を得ることができる。
また。支え部７１４の先端に軟質部材７１５を取り付けることにより、連接部材８との間のガタツキを押さえることができる。
【００３７】
天板７１０の裏面は図７、図８で示す通り、コーナー部分に複数の脚部材７２０を形成することで着脱後は天板７１０を床面や浴槽上などに置くことができる。脚部材７２０の先端部は、図７に示すように垂下片７１１の先端より若干突出されている。
また、脚部材７２０を軟質部材で形成することで、床面や浴槽の傷付きを防止することができる。
【００３８】
例えば、図９で示す通り、取り外した天板７１０は、浴槽フランジ部２１０に架け渡して設置し、トレーとして使用することもできる。また、脚部材７２０を軟質部材で構成することで浴槽フランジ部２１０の傷付防止を行い、架け渡し時のガタツキ防止を行うことができる。
さらに、天板７１０をトレーとして使用しないときは、取付け部材６、６に係合して納めておくことで、トレーとしての天板７１０の収納場所を別途新たに設ける必要がない。
なお、天板７１０をトレーとして使用する場合などにおいて、剛性が高いことを重要視する場合は、天板７１０の薄型化、軽量化に拘らず、天板７１０を必要十分な厚さに形成することが好ましい。
【００３９】
図１０はカウンターの天板７１０を壁面５に仮に密着配置している場合のシャワーヘッド３１１からの湯水の流れを示し、図１１は本実施形態の天板７１０のように凹部７３０の存在により天板７１０と壁面５との間に間隙が形成されている場合のシャワーヘッド３１１からの湯水の流れを示す。
図１０に示す構成の場合、シャワーヘッド３１１からの湯水の流れは天板７１０の奥側から前側へ、換言すると、使用者側への一方向の流れとなり、使用者に湯水がかかる危険性が高い。
これに対し、図１１に示す構成の場合、シャワーヘッド３１１からの湯水の流れは天板７１０の奥側から前側への流れと天板７１０の奥側から凹部７３０を介し壁面５に沿って下方への流れの２つに分流する。換言すると、使用者側への湯水の流れが弱くなり、使用者に大量の湯水がかかる危険性が少なくなる。
【００４０】
本実施形態の構造によれば、天板７１０は着脱しなくても手前に引き出した状態でシャワーにより湯水をかけると壁面５やカウンター下方の床面を洗い流し綺麗な状態を保つことができ、清掃性に優れている。勿論、取付け部材６、６から天板７１０を取り外して取付け部材６、６周辺の壁面５を露出させることができ、この状態で壁面５と取付け部材６を清掃することができ、清掃性も良好となる。
【００４１】
本実施形態にかかる天板７１０と取付け部材６によるカウンター９の取付け構造であるならば、天板７１０を係止している第１の係合部６２１と第２の係合部６２２及びそれらの周囲が図１に示すように使用者から全く見えない。このため、係合部６２１、６２２の存在により浴室１の美観を損なうことがない。なお、係合部６２１、６２２や取付け部材６の上面は天板７１０を図２に示すように設置してカウンター９として使用している状態では隠されているので、汚れなどがあっても目立たないが、これらの部分が汚れた場合は係合部６２１、６２２の係合を解いて天板７１０を取付け部材６から取り外すと、これらの部分を容易に露出できるので、清掃作業が容易にできるようになる。
【００４２】
本実施形態の構造によれば、天板７１０を係合する場合、第１の係合部６２１と第２の係合部６２２の存在に加え、キャップ６３０を備えた第１の突出部６１１と第２の突出部６１２が天板下面をガタツキ無く支持し、軟質部材７１５を備えた支え部７１４が連接部材８に当接してガタツキ無く天板下面を支持するので、天板７１０をガタツキ無く支持できる。
また、天板７１０の裏面側の第１の突出部６１１と第２の突出部６１２およびこれらの周囲部分を清掃する場合、天板７１０を裏返して左右の取付け部材６の上に天板７１０を設置するが、この場合にキャップ６３０を備えた第１の突出部６１１と第２の突出部６１２が天板７１０の表面を支持するので、天板７１０を裏返して清掃する場合に天板７１０の表面に傷を付けることもない。
【００４３】
更に、天板７１０の着脱は天板７１０を水平に前後にスライドすることで実施できるので、着脱が容易なカウンター９の取付け構造を提供できる。
このため、浴槽フランジ部２１０に天板７１０を架け渡してトレーなどとして使用する場合に天板７１０を簡単に取り外して使用することができ、使用後に天板７１０を元の位置に戻す場合の作業も容易に実施できる。このため、図９に示すように入浴中に天板７１０をトレーとして利用しやすく、使い勝手の良好な浴室１を提供できる。
【００４４】
本実施形態の構造によれば、図１に示すように浴槽２とカウンター９を連接する構造とはならないため、カウンターよりの浴槽エプロン２２０を分割可能な構造とする必要が無く、浴槽エプロン２２０は樹脂一体成形品の１枚物で構成することができる。
このため、浴槽エプロン２２０は浴槽に対応したデザインや表面形状のものを自由に選択することができ、浴槽側面の美観向上に寄与する。
【符号の説明】
【００４５】
１…浴室、２…浴槽、２１０…浴槽フランジ部、２２０…浴槽エプロン、３…水栓、３１０…シャワーホース、３１１…シャワーヘッド、４…洗い場、５…壁面、６…取付け部材、６０６…段部、６１０…受け片、６１１…第１の突出部、６１２…第２の突出部、６２１…第１の係合部、６２２…第２の係合部、６３０…キャップ、７…天板部材、７１０…天板、７１１…垂下片、７１２…前側掛部、７１３…内側掛部、７１４…支え部、７２０…脚部材、７３０…凹部、８…連接部材、９…カウンター、１０…天板部材、１１…取付け部材。
【図１】
2019208754.tif 000003
【図２】
2019208754.tif 000004
【図３】
2019208754.tif 000005
【図４】
2019208754.tif 000006
【図５】
2019208754.tif 000007
【図６】
2019208754.tif 000008
【図７】
2019208754.tif 000009
【図８】
2019208754.tif 000010
【図９】
2019208754.tif 000011
【図１０】
2019208754.tif 000012
【図１１】
2019208754.tif 000013
【図１２】
2019208754.tif 000014